【手続補正書】
【提出日】平成29年6月12日(2017.6.12)
【手続補正１】
【補正対象書類名】特許請求の範囲
【補正対象項目名】全文
【補正方法】変更
【補正の内容】
【特許請求の範囲】
【請求項１】
ブロードキャストエリアにネットワーク情報を提供するためのワイヤレストランシーバであって、
メモリと、
前記メモリに結合された少なくとも１つのプロセッサとを備え、前記プロセッサは、
ネイバー報告カウント値をもつビーコン送信を第１の時間の間隔で定期的にブロードキャストし、ここにおいて、前記ネイバー報告カウント値は、ネイバー報告要素が与えられる前にブロードキャストされるべき後続ビーコン送信の数を示す、
前記ネイバー報告要素とアクセスポイント間（ＡＰ間）シグナリングパラメータフォーマット情報要素とをもつ前記ビーコン送信を第２の時間の間隔で定期的にブロードキャストするように構成され、前記ネイバー報告要素は、アクセスポイントに関連付けられた基本サービスセット識別（ＢＳＳＩＤ）を備えた１つまたは複数のネイバー記録要素と、前記ワイヤレストランシーバがそれぞれのアクセスポイントに精密タイミング測定（ＦＴＭ）パケットを送ることになる順序を示すための訪問インデックスとを含み、前記ＡＰ間シグナリングパラメータフォーマット情報要素は、前記ワイヤレストランシーバが前記訪問インデックス中の次のアクセスポイントに切り替えることになる持続時間を示すためのＡＰ間切替え期間を含み、前記ＡＰ間切替え期間は、前記第１の時間の間隔よりも大きい、ワイヤレストランシーバ。
【請求項２】
前記ネイバー報告カウント値は整数値である、請求項１に記載のワイヤレストランシーバ。
【請求項３】
前記ネイバー報告カウント値をもつ前記ビーコン送信および前記ネイバー報告要素をもつ前記ビーコン送信は、メディアアクセス制御（ＭＡＣ）制御フレームフォーマットを備える、請求項１に記載のワイヤレストランシーバ。
【請求項４】
前記ネイバー報告要素をもつ前記ビーコン送信は、緯度値と経度値とを含む、請求項１に記載のワイヤレストランシーバ。
【請求項５】
アクセスポイントをもつネットワークネイバー報告をブロードキャストするための方法であって、
ビーコン送信を生成することと、
ネイバー報告カウント値を決定することと、ここにおいて、前記ネイバー報告カウント値は、ネイバー報告が与えられる前にブロードキャストされるべき後続ビーコン送信の数を示す、
前記ネイバー報告カウント値がゼロよりも大きい場合、
少なくともビーコンフレームと前記ネイバー報告カウント値とを含む前記ビーコン送信をブロードキャストし、
前記ネイバー報告カウント値を減分することと、
前記ネイバー報告カウント値がゼロに等しい場合、
少なくとも前記ビーコンフレームとアクセスポイント間（ＡＰ間）シグナリングパラメータフォーマット情報要素と前記ネイバー報告とを含む前記ビーコン送信をブロードキャストし、ここにおいて、ネイバー報告は、アクセスポイントに関連付けられた基本サービスセット識別（ＢＳ ＳＩＤ）を備えた１つまたは複数のネイバー報告要素と、精密タイミング測定（ＦＴＭ）パケットがそれぞれのアクセスポイントに送られることになる順序を示すための訪問インデックスとを含み、前記ＡＰ間シグナリングパラメータフォーマット情報要素は、前記ワイヤレストランシーバが前記訪問インデックス中の次のアクセスポイントに切り替えることになる持続時間を示すためのＡＰ間切替え期間を含み、前記ＡＰ間切替え期間は、第１の時間の間隔よりも大きい、
前記ネイバー報告カウント値をリセットすることとを備える、方法。
【請求項６】
前記１つまたは複数のネイバー報告要素は、緯度値と、経度値と、Ｚ軸情報とを含む、請求項５に記載の方法。
【請求項７】
前記ＡＰ間シグナリングパラメータ要素はＡＰ間精密タイミング測定（ＦＴＭ）バーストタイムアウト値を含む、請求項５に記載の方法。
【請求項８】
前記ＡＰ間シグナリングパラメータ要素は最小デルタ精密タイミング測定（ＦＴＭ）値を含む、請求項５に記載の方法。
【請求項９】
前記ネイバー報告カウント値をリセットすることは、前記ネイバー報告カウント値を、２００と１０００との間の値に設定することを含む、請求項５に記載の方法。
【請求項１０】
前記ビーコン送信は、少なくとも１００ミリ秒ごとに生成され、ブロードキャストされる、請求項５に記載の方法。
【請求項１１】
クライアント局をもつ現在の位置を決定するための方法であって、
前記クライアント局をもつネットワークビーコン送信を受信することと、
前記ネットワークビーコン送信に基づいてネイバー報告カウント値を決定することと、ここにおいて、前記ネイバー報告カウント値は、ネイバー情報が与えられる前にブロードキャストされるべき後続ビーコン送信の数を示す、
前記ネイバー報告カウント値がゼロに等しい場合、ネイバー報告とアクセスポイント間（ＡＰ間）シグナリングパラメータフォーマット情報とを受信することと、ここにおいて、前記ネイバー報告は、アクセスポイントに関連付けられた基本サービスセット識別（ＢＳＳＩＤ）を備えた１つまたは複数のネイバー記録要素と、少なくとも１つの精密タイミング測定（ＦＴＭ）メッセージがそれぞれのアクセスポイントに送信されることになる順序を示すための訪問インデックスとを含み、前記ＡＰ間シグナリングパラメータフォーマット情報要素は、前記ワイヤレストランシーバが前記訪問インデックス中の次のアクセスポイントに切り替えることになる持続時間を示すためのＡＰ間切替え期間を含み、前記ＡＰ間切替え期間は、第１の時間の間隔よりも大きい、
前記ネイバー報告中のアクセスポイントのロケーションを決定することと、
前記ネイバー報告中の前記アクセスポイントの前記ロケーションに少なくとも部分的に基づいて、前記クライアント局の前記現在の位置を算出することとを備える、方法。
【請求項１２】
前記１つまたは複数のネイバー記録要素に含まれる、２つ以上のアクセスポイントの間で送信される少なくとも１つの精密タイミング測定（ＦＴＭ）メッセージを受信することをさらに備える、請求項１１に記載の方法。
【請求項１３】
ワイヤレストランシーバをもつブロードキャストエリアにネットワーク情報を提供するためのプロセッサ可読命令を備える非一時的プロセッサ可読記憶媒体であって、前記命令は、
ネイバー報告カウント値をもつビーコン送信を第１の時間の間隔で定期的にブロードキャストするためのコードと、ここにおいて、前記ネイバー報告カウント値は、ネイバー報告要素が与えられる前にブロードキャストされるべき後続ビーコン送信の数を示す、
前記ネイバー報告要素とアクセスポイント間（ＡＰ間）シグナリングパラメータフォーマット情報要素とをもつ前記ビーコン送信を第２の時間の間隔で定期的にブロードキャストするためのコードとを備え、前記ネイバー報告要素は、アクセスポイントに関連付けられた基本サービスセット識別（ＢＳＳＩＤ）を備えた１つまたは複数のネイバー記録要素と、前記ワイヤレストランシーバがそれぞれのアクセスポイントに精密タイミング測定（ＦＴＭ）パケットを送ることになる順序を示すための訪問インデックスとを含み、前記ＡＰ間シグナリングパラメータフォーマット情報要素は、前記ワイヤレストランシーバが前記訪問インデックス中の次のアクセスポイントに切り替えることになる持続時間を示すためのＡＰ間切替え期間を含み、前記ＡＰ間切替え期間は、前記第１の時間の間隔よりも大きい、非一時的プロセッサ可読記憶媒体。
【請求項１４】
前記ネイバー報告カウント値をもつ前記ビーコン送信および前記ネイバー報告要素をもつ前記ビーコン送信は、メディアアクセス制御（ＭＡＣ）制御フレームフォーマットを備える、請求項１３に記載の非一時的プロセッサ可読記憶媒体。
【請求項１５】
前記ネイバー報告要素をもつ前記ビーコン送信は、緯度値と経度値とを含む、請求項１３に記載の非一時的プロセッサ可読記憶媒体。